【手続補正書】
【提出日】平成16年11月9日(2004.11.9)
【手続補正１】
【補正対象書類名】明細書
【補正対象項目名】発明の名称
【補正方法】変更
【補正の内容】
【発明の名称】画像形成装置、画像印刷制御装置、画像印刷制御方法及び該方法を実行するためのプログラムを格納したコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有することを特徴とする画像形成装置。
【請求項２】
前記判断手段は、処理開始時のメモリのビットパターンと、描画属性命令で指定されたビットパターンが同一であり、かつ描画属性命令で指定された論理演算がＳｅｔまたはｏｒかどうかで判断する請求項１記載の画像形成装置。
【請求項３】
前記メモリがプリンタのページメモリである請求項１記載の画像形成装置。
【請求項４】
前記メモリがプリンタのバンドメモリである請求項１記載の画像形成装置。
【請求項５】
前記メモリがカラープリンタの各色のバンドメモリである請求項１記載の画像形成装置。
【請求項６】
描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有することを特徴とする画像印刷制御装置。
【請求項７】
前記判断手段は、処理開始時のメモリのビットパターンと、描画属性命令で指定されたビットパターンが同一であり、かつ描画属性命令で指定された論理演算がＳｅｔまたはｏｒかどうかで判断する請求項１記載の画像印刷制御装置。
【請求項８】
前記メモリがプリンタのページメモリである請求項１記載の画像印刷制御装置。
【請求項９】
前記メモリがプリンタのバンドメモリである請求項１記載の画像印刷制御装置。
【請求項１０】
前記メモリがカラープリンタの各色のバンドメモリである請求項１記載の画像印刷制御装置。
【請求項１１】
入力された描画命令の内容を解釈し、図形描画命令を描画属性命令の設定に従ってメモリに書き込み、メモリ内容に変更があったかどうかを描画属性命令から判断して、変更があった場合は指定された描画属性で図形を描画し、変更がない場合は条件が一致すれば図形描画命令を省略することを特徴とする画像印刷制御方法。
【請求項１２】
請求項１１記載の画像印刷制御方法を実行するためのプログラムを格納したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、画像形成装置、画像印刷制御装置、画像印刷制御方法及び該方法を実行するためのプログラムを格納したコンピュータ読み取り可能な記憶媒体に関し、詳細にはページプリンタのプリンタ言語処理に関する。
【手続補正４】
【補正対象書類名】明細書
【補正対象項目名】０００５
【補正方法】変更
【補正の内容】
【０００５】
【課題を解決するための手段】
前記問題点を解決するために、本発明の画像形成装置は、描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有する。よって、ある一定条件で図形のメモリへの描画を省略することにより、図形描画処理の大半を占めるメモリのリードとライトの回数を減らし、描画命令の高速化を図ることができる。
【手続補正５】
【補正対象書類名】明細書
【補正対象項目名】００１０
【補正方法】変更
【補正の内容】
【００１０】
また、別の発明の画像印刷制御装置は、描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有する。更に、別の発明としての画像印刷制御方法によれば、入力された描画命令の内容を解釈し、図形描画命令を描画属性命令の設定に従ってメモリに書き込み、メモリ内容に変更があったかどうかを描画属性命令から判断して、変更があった場合は指定された描画属性で図形を描画し、変更がない場合は条件が一致すれば図形描画命令を省略することに特徴がある。よって、図形描画処理の大半を占めるメモリのリードとライトの回数を減らし、描画命令の高速化を図ることができる。
【手続補正６】
【補正対象書類名】明細書
【補正対象項目名】００１２
【補正方法】変更
【補正の内容】
【００１２】
【発明の実施の形態】
本発明の画像形成装置は、描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有する。
【手続補正７】
【補正対象書類名】明細書
【補正対象項目名】００２９
【補正方法】変更
【補正の内容】
【００２９】
【発明の効果】
以上説明したように、本発明の画像形成装置は、描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有する。よって、ある一定条件で図形のメモリへの描画を省略することにより、図形描画処理の大半を占めるメモリのリードとライトの回数を減らし、描画命令の高速化を図ることができる。
【手続補正８】
【補正対象書類名】明細書
【補正対象項目名】００３４
【補正方法】変更
【補正の内容】
【００３４】
また、別の発明の画像印刷制御装置は、描画命令を入力する描画命令入力手段と、該描画命令入力手段により入力された描画命令の内容を解釈する描画命令解釈手段と、図形描画命令を描画属性命令の設定に従ってメモリに書き込む書込み手段と、メモリ内容に変更があったかどうかを描画属性命令から判断する判断手段と、変更があった場合は指定された描画属性で図形を描画する描画手段と、変更がない場合は条件が一致すれば図形描画命令を省略する省略手段を有する。更に、別の発明としての画像印刷制御方法によれば、入力された描画命令の内容を解釈し、図形描画命令を描画属性命令の設定に従ってメモリに書き込み、メモリ内容に変更があったかどうかを描画属性命令から判断して、変更があった場合は指定された描画属性で図形を描画し、変更がない場合は条件が一致すれば図形描画命令を省略することに特徴がある。よって、図形描画処理の大半を占めるメモリのリードとライトの回数を減らし、描画命令の高速化を図ることができる。